(57)【要約】【要  約】【課  題】  型枠下部に棒状のセパレータを使用可能とすることによりコンクリートの一度打ち施工を容易にし、良質の基礎を経済的に構築する。【解決手段】  下部近傍に水平スリット21を形成した内面用型枠２と、所定間隔で縦スリット11を形成した外面用型枠１とを内面用型枠２については仮受け金物５を介して壁厚に相当する所定距離隔てて立設し、セパレータ３の両端の連結金具の板状部33を前記水平スリット21および縦スリット11に挿入してそれぞれの型枠２、１に固定する。【選択図】      図４
2005076426.tif 000002
【特許請求の範囲】
【請求項１】
下部近傍に水平スリット（21）を形成した内面用型枠（２）と、所定間隔で縦スリット（11）を形成した外面用型枠（１）とを壁厚に相当する所定距離隔てて立設し、セパレータ（３）の両端の連結金具の板状部（33）を前記水平スリット（21）および縦スリット（11）に挿入してそれぞれの型枠（２、１）に固定することを特徴とする立ち上がり基礎部用の型枠構造。
【請求項２】
下部近傍に水平スリット（21）を形成した内面用型枠（２）と、これより高さが大きく、所定間隔で縦スリット（11）を形成した外面用型枠（１）とを、前記内面用型枠（２）については外面用型枠（１）との高さの差に相当する仮受け金物（５）を介して、壁厚に相当する所定距離隔てて立設し、セパレータの両端の連結金具の板状部（33）を前記水平スリット（21）および縦スリット（11）に挿入してそれぞれの型枠（２、１）に固定することを特徴とする立ち上がり基礎部用の型枠構造。
【発明の詳細な説明】
【技術分野】
【０００１】
本発明は、木造住宅などの建築物における立ち上がり基礎部のコンクリート打設用の型枠構造に関する。
【背景技術】
【０００２】
木造住宅などの建築物においては、布基礎、べた基礎などの立ち上がり基礎部を有するコンクリート基礎が使用される。図５はその一例であるべた基礎の施工段階を示す断面図で、べた基礎部分を含む水平基礎部Ｃ１のコンクリートを打設した後、立ち上がり基礎部Ｃ２を打設しようとしているところである。1aは立ち上がり基礎部の外面用型枠、1bは同じく内面用型枠、4は追って説明する上下止め金具と呼ばれる型枠保持の金物である。
【０００３】
また図６は同じくべた基礎の施工段階を示す断面図で、1bは立ち上がり基礎部の外面用型枠、5aはこの外面用型枠1bの下部と、内面用型枠2aの下部とを高さを変えて支持するための「うま」とも呼ばれる仮受け金物である。
【０００４】
図7は上下止め金具４を示す斜視図で、41は外爪、42は内爪である。両側の外爪41、内爪42の間で型枠をはさみ、内面用型枠2aと外面用型枠1bの間隔を保持する。図６における寸法ｄ、すなわち内面用型枠2aと外面用型枠1bの内側の間隔が立ち上がり基礎部の壁厚となる。
【０００５】
図５の例はコンクリートを水平基礎部Ｃ１と立ち上がり基礎部Ｃ２  とに分けて二度打ちする場合、図６はこれらを一度に打設する場合である。二度打ちは、コンクリートの打ち継ぎ部に欠陥が残りやすく、また工期もかかるので元来好ましいものではないが、図６における仮受け金物5aのような特殊な資材が不要であることから現実にはよく採用される。一方図6に示す一度打ちは品質、工程上は好ましいが、仮受け金物5aについては上下方向の段差ｈ、壁厚ｄによって異なる寸法のものを準備しなければならず、しかも施工後に回収不能であるから使い捨てでありコスト高となるという問題点がある。段差ｈは敷地の平坦度によって変わり、壁厚ｄについても基礎の設計条件によって120〜220ｍｍの範囲で数種類がある。
【０００６】
上下止め金具４のうち最上部のものは、コンクリート硬化後型枠を解体する際に取り外して回収できるので品質ならびにコストの両面で何ら問題はないが、図５における型枠下部のものは、外爪41のみを折りとって除去することができるが残りのほとんどの部分は硬化したコンクリートの内部に残置され、しかも場所が品質上問題のある打ち継ぎ部であるため、金具の周囲にすき間が発生しやすく、水の滲み出す通路となるなどの問題点がある。
【０００７】
ところで本発明者は、平成11年にコンクリート型枠の連結金具を考案し、登録実用新案公報第３０６３６６５号に記載されている。図８ないし図10によりこれを簡単に説明する。
【０００８】
この連結金具は、コンクリートの壁を施工する場合に、パネル状に並べた一対の型枠を間隔を保持しながら連結するもので、図８は連結金具の外観を示す斜視図、図９は小判形の板状部33を有する金属製の連結金具本体を示す斜視図、図10は樹脂製のコーン32を示す断面図である。この連結金具は、中央付近にピン孔を設けた板状部33と、これに接続し、端部にセパレータロッドをねじ込むねじ孔と外面のねじ部とを形成した棒状部よりなる本体と、大径側を中空とし、小径側に本体棒状部のねじ部にねじ込まれるねじ孔を設けたコーン32よりなり、棒状部におけるセパレータロッド用のねじ孔とコーン32のねじ部とは逆向きのねじとなっている。
【０００９】
図11は、この連結金具の使用状態を示すコンクリート壁の断面図である。両側の型枠1a、2aの上下の接続部分に連結金具本体の板状部33が差し込まれ、型枠1a、2aのフランジ孔と、板状部33のピン孔とを挿通してクリップ34が挿入され、一方両側の連結金具のねじ孔には棒状のセパレータロッド31がねじ込まれている。この状態でコンクリートＣが打設される。硬化後、セパレータロッド31はコンクリートＣ内に残り、コーン22と連結金具の本体はねじをゆるめることにより回収される。
【００１０】
この考案の連結金具に対して、それまでのものは本体とコーンとが金属製で一体となっていたために回収の際に破損したり、回収できない場合が多いなどの問題点があったのであるが、コーン22と本体とを別物とし、ねじで結合することでこの問題点を解消したのである。
【００１１】
しかし型枠が1段、あるいはせいぜい2段でしか使用しない立ち上がり基礎部においては従来の型枠構造では板状部33を差し込む場所がないのでこのような棒状セパレータを使用することができず、前記の上下止め金具４を使用するのが普通であった。
【特許文献１】登録実用新案公報第３０６３６６５号
【発明の開示】
【発明が解決しようとする課題】
【００１２】
型枠下部に棒状セパレータを使用可能とすることによりコンクリートの一度打ち施工を容易にし、良質の基礎を経済的に構築する。
【課題を解決するための手段】
【００１３】
本発明は、下部近傍に水平スリットを形成した内面用型枠と、所定間隔で縦スリットを形成した外面用型枠とを壁厚に相当する所定距離隔てて立設し、セパレータの両端の連結金具の板状部を前記水平スリットおよび縦スリットに挿入してそれぞれの型枠に固定することを特徴とする立ち上がり基礎部用の型枠構造である。
【００１４】
あるいはまた本発明は、下部近傍に水平スリットを形成した内面用型枠と、これより高さが大きく、所定間隔で縦スリットを形成した外面用型枠とを、前記内面用型枠については外面用型枠との高さの差に相当する仮受け金物を介して、壁厚に相当する所定距離隔てて立設し、セパレータの両端の連結金具の板状部を前記水平スリットおよび縦スリットに挿入してそれぞれの型枠に固定することを特徴とする立ち上がり基礎部用の型枠構造である。
【発明の効果】
【００１５】
本発明によれば、仮受け金物の種類と使用数を削減することにより一度打ち施工を容易にし、その結果としてべた基礎の品質を向上させるとともにコストを削減するという、すぐれた効果を奏する。
【発明を実施するための最良の形態】
【００１６】
図１は本発明の実施例における外面用型枠１を示す斜視図、図２は同じく内面用型枠２を示す斜視図で、11は外面用型枠１に設けられた縦スリット、21は内面用型枠２に設けられた水平スリット、22は水平スリット21内に挿入されたライナである。外面用型枠１、内面用型枠２の幅は基礎のモジュール寸法によって例えば1820ｍｍ、高さは内面用型枠２については立ち上がり基礎部の高さで例えば600ｍｍ、外面用型枠１についてはこれに掘削面からべた基礎表面までの高さｈを加えた寸法、例えば900ｍｍである。縦スリット11、水平スリット21はいずれも表板を切欠き、両側にリブを配置して構成するのが望ましいが、小寸法の切れ目のない型枠を組み合わせ、接合してこのような形状にすることもできる。縦スリット11は向かい合った型枠の位置を保持するのに必要なセパレータの間隔、すなわち600ｍｍあるいはそれ以下の間隔で設けることが望ましい。一方、水平スリット21は内面用型枠２の下部近傍、すなわちクリップ等による固定作業に必要な寸法を残してできるだけ低い位置、例えば、下から50ｍｍのところに設けるのがよい。
【００１７】
縦スリット11、水平スリット21の内部にコンクリートが入るのを防ぐため、必要に応じて開口をテープ、木片等でふさぐこともできる。
【００１８】
図３は本発明の実施例における棒状のセパレータ３を示す斜視図である。両端の連結金具の板状部33はそれぞれスリットの向きに合わせ、外面用型枠１に対しては縦向きに、内面用型枠２に対しては水平向きにする。
【００１９】
図４は上記の外面用型枠１、内面用型枠２、セパレータ３を使用したべた基礎の施工段階を示す断面図である。４は上下止め金具、５は仮受け金物で、コンクリートは水平基礎部Ｃ１、立ち上がり基礎部Ｃ２を同時に打設する一度打ちである。上部の上下止め金具４に関してはこれまでと同様であるが、下部の仮受け金物５は、図６に示した従来の場合と異なりセパレータ３がすぐ上にあるので型枠の間隔を保持する機能は必要ないため、単に内面用型枠２を上面に載置して仮受けする役割のみでよいから、壁厚ｄにかかわりなく同じものを使用することができ、また間隔もセパレータの間隔に関係ないので使用数を削減できるなど、経済的な施工が可能である。
【００２０】
本発明の外面用型枠１、内面用型枠２、セパレータ３を使用して図５に示したような二度打ちは施工を行うことももちろん可能ではあるが、仮受け金物５の寸法の共通化、使用数の削減などによって一度打ち施工が容易となり、内部欠陥のない品質の優れた基礎を構築できることが本発明の大きな利点である。
【図面の簡単な説明】
【００２１】
【図１】実施例の外面用型枠を示す斜視図である。
【図２】実施例の内面用型枠を示す斜視図である。
【図３】本発明において使用するセパレータを示す斜視図である。
【図４】実施例のべた基礎の施工段階を示す断面図である。
【図５】従来の技術におけるべた基礎の施工段階を示す断面図である。
【図６】同じく従来の技術におけるべた基礎の施工段階を示す断面図である。
【図７】本発明において使用する従来公知の上下止め金具を示す斜視図である。
【図８】本発明において使用する従来公知の連結金具を示す斜視図である。
【図９】本発明において使用する従来公知の連結金具本体を示す斜視図である。
【図１０】本発明において使用する従来公知の連結金具のコーンを示す断面図である。
【図１１】従来の技術における連結金具の使用状態を示すコンクリート壁の断面図である。
【符号の説明】
【００２２】
１、1a、1b    外面用型枠
２、2a    内面用型枠
３    セパレータ
４    上下止め金具
５    仮受け金物
11   縦スリット
21   水平スリット
・  ライナ
・  セパレータロッド
・  コーン
・  板状部
・  クリップ
・  外爪
・  内爪
Ｃ   コンクリート
Ｃ１  水平基礎部
Ｃ２   立ち上がり基礎部
【図１】
2005076426.tif 000003
【図２】
2005076426.tif 000004
【図３】
2005076426.tif 000005
【図４】
2005076426.tif 000006
【図５】
2005076426.tif 000007
【図６】
2005076426.tif 000008
【図７】
2005076426.tif 000009
【図８】
2005076426.tif 000010
【図９】
2005076426.tif 000011
【図１０】
2005076426.tif 000012
【図１１】
2005076426.tif 000013
【手続補正書】
【提出日】平成15年9月29日(2003.9.29)
【手続補正１】
【補正対象書類名】明細書
【補正対象項目名】０００２
【補正方法】変更
【補正の内容】
【０００２】
木造住宅などの建築物においては、布基礎、べた基礎などの立ち上がり基礎部を有するコンクリート基礎が使用される。図５はその一例であるべた基礎の施行段階を示す断面図で、べた基礎部分を含む水平基礎部Ｃ１のコンクリートを打設した後、立ち上がり基礎部Ｃ２を打設しようとしているところである。1aは立ち上がり基礎部の外面用型枠、2aは同じく内面用型枠、４は追って説明する上下止め金具と呼ばれる型枠保持の金物である。
【手続補正２】
【補正対象書類名】明細書
【補正対象項目名】０００９
【補正方法】変更
【補正の内容】
【０００９】
図11は、この連結金具の使用状態を示すコンクリート壁の断面図である。両側の型枠1a、2aの上下の接続部分に連結金具本体の板状部33が差し込まれ、型枠1a、2aのフランジ孔と、板状部33のピン孔とを挿通してクリップ34が挿入され、一方両側の連結金具のねじ孔には棒状のセパレータロッド31がねじ込まれている。この状態でコンクリートＣが打設される。硬化後、セパレータロッド31はコンクリートＣ内に残り、コーン32と連結金具の本体はねじをゆるめることにより回収される。
【手続補正３】
【補正対象書類名】明細書
【補正対象項目名】００２２
【補正方法】変更
【補正の内容】
【００２２】
１、1a、1b    外面用型枠
２、2a    内面用型枠
３    セパレータ
４    上下止め金具
５    仮受け金物
11    縦スリット
21    水平スリット
22    ライナ
31    セパレータロッド
32    コーン
33    板状部
34    クリップ
41    外爪
42    内爪
Ｃ    コンクリート
Ｃ１   水平基礎部
Ｃ２   立ち上がり基礎部